(57)【要約】【課題】僅かな力で布団を強く狭持して、容易に着脱することができる布団バサミの提供。【解決手段】布団を狭持する一対のアームの先端部に、布団を狭持する回動可能なローラー体を設け、左右一対のアームの移動と拡縮に連動しながらローラー体が移動して、ローラー体の逆転の阻止及び阻止解除が可能な切り替手段を備えた逆転阻止機構を狭持部に配設することで、狭持部で軽く布団の頂縁部近傍を挿し挟んだ後に、布団の表面上をローラー体で挟みながら布団バサミを下方向に押し込むと、布団の表面上をローラーが回転しながら布団の厚みに連動して左右一対のアームが拡縮し、押し込みを停止すると逆転阻止機構が機能してアーム本来の狭持力で強く布団を狭持することができる。【選択図】図１
2016202420.tif 000002
【特許請求の範囲】
【請求項１】
左右一対のアームがバネ付きヒンジを介して基部が回動自在に連結され、アームの先端部が常時閉じる方向に付勢してなる布団バサミにおいて、前記左右一対のアームの先端部に、布団を狭持する回動可能且つ、移動可能なローラー体を配設し、左右一対のアームの移動と拡縮により移動するローラー体の停止位置が変位することで、ローラー体の回動の逆転阻止及び阻止解除の切り替えが可能な逆転阻止機構を形成した狭持部を備えたことを特徴とした布団バサミ。
【請求項２】
前記ローラー体のローラーの外周面上に、該ローラーと布団の表面との間の滑りを抑止する滑り止め手段を備えたことを特徴とした請求項１に記載の布団バサミ。
【請求項３】
前記左右一対のアームの前記基部側のそれぞれのアームの端部より遠ざかる方向に延設した把持アームを形成したことを特徴とした請求項１または請求項２に記載の布団バサミ。
【発明の詳細な説明】
【技術分野】
【０００１】
本発明は、ベランダのフェンス等に布団を引っ掛けて干す時に、フェンスから落下しないように布団の両側を挟み付ける、布団バサミに関するものである。
【背景技術】
【０００２】
従来からある布団バサミは、回動自在に枢着された一対のアームを強いバネによって相互に接近する方向に付勢することにより、両アームの挟持力で布団が落下することがないように構成されている。しかしながら、狭持力を高める為に強いバネを用いると、腕力が弱い老人や婦女子には負担となる場合や、反対に弱いバネを用いると、薄手の布団に使用した時に構造的な狭持力不足となる場合や、経年変化により挟みつける際に生ずるアーム先端部分の横ズレによる狭持力が低下する場合などの欠点を解消すべく、下記の文献が公示されている。
【先行技術文献】
【特許文献】
【０００３】
【特許文献１】特開２００３−０３８８９３号公報
【特許文献２】特開２００６−０９５３２５号公報
【発明の概要】
【発明が解決しようとする課題】
【０００４】
特許文献１においては、一対のアームの先端に対したその内側に折り畳み可能に連結された第二アームを設け、第二アームの折り畳みの有無を選択することで、布団の厚みに対して適切に狭持することができるとしているが、それぞれのアームは二箇所の連結部分の回動による布団バサミを構成しているが、構造的に経年変化による連結部分の捻じれが発生し易く、アーム先端部分での横ズレが発生する虞がある。
【０００５】
特許文献２においては、アームの内側に沿って摺動が可能で、二つのアームが互いに対向する向きを軸として回動自在な狭持材を設け、狭持材を水平状態にして使用することでアーム先端部分でのずれを防止するとしているが、狭持材がアームの内側に添設されているので、この布団バサミを挟み付ける際には両方のアームを布団の厚みより広く拡開する必要があり、両手による多大な力が必要となり使い勝手が悪く、特に、高齢者にとっては困難であり挟持力の強いアーム先端部に指を挟んだりして危険な作業でもある。
【０００６】
本発明は、上述したような事情を鑑みてなされたものであり、布団を狭持するアームの先端部分に回転可能なローラーを使用することで、布団バサミの先端部でフェンス等に掛けられた布団の上辺部をローラーにより軽く挟みながら、布団の表面上を回転させながら押下することにより、弱い腕力で適切に布団等を強く狭持し、風による布団バサミのズレによる干し物の落下を防止すると共に、一対のアーム先端部のズレによる挟持力の低下の虞が少ない布団バサミを提供することを目的とする。
【課題を解決するための手段】
【０００７】
上記目的を達成するため、請求項１の布団バサミは、左右一対のアームがバネ付きヒンジを介して基部が回動自在に連結され、アームの先端部が常時閉じる方向に付勢してなる布団バサミにおいて、前記左右一対のアームの先端部に、布団を狭持する回動可能且つ、移動可能なローラー体を配設し、左右一対のアームの移動と拡縮により移動するローラー体の停止位置が変位することで、ローラー体の回動の逆転阻止及び阻止解除の切り替えが可能な逆転阻止機構を形成した狭持部を備えたことを特徴とする。
【０００８】
請求項２の布団バサミは、請求項１の発明において、前記ローラー体のローラーの外周面上に、該ローラーと布団の表面との間の滑りを抑止する滑り止め手段を備えたことを特徴とする。
【０００９】
請求項３の布団バサミは、請求項１または請求項２のいずれか一つの発明において、前記左右一対のアームの前記基部側のそれぞれのアームの端部より遠ざかる方向に延設した把持アームを形成したことを特徴とする。
【発明の効果】
【００１０】
請求項１によれば、アームの先端部をフェンス等に掛けられた布団の厚み以上に拡開する必要が無なく、弱い力でのアームの拡開で引っ掛けられた布団の頂縁部近傍を挟んだ後に、布団バサミを押下することで、布団の表面上を移動するローラー体が逆転阻止された状態でローラー体の回動に連動してアームが拡開するので、従来品のような強い力でアームを全開する必要がなく、アームの強い狭持力を実現して布団を天日干しすることができる。また、布団バサミを取り外す時も、弱い力でアームを僅かに拡開することで、ローラー体の逆転阻止が解除されるので、布団を狭持した状態の布団バサミのローラー体を逆転させながら弱い力で布団バサミを引き上げて布団バサミを取り外せる。このことにより、布団バサミの狭持力を従来品よりも強く設定することが可能となり、薄手の布団等に使用しても落下の虞がなくなる。また、布団を狭持するローラー体はアームの幅厚さより幅広に形成されているので、基部の変形による先端部の横ズレによる狭持力の低下が防止される。
【００１１】
請求項２によれば、ローラーの外周面に滑り止め手段を備えたことで、風により布団が捲り上げられての布団バサミの移動を防止するので、布団バサミの移動による布団の落下の虞がなくなる。
【００１２】
請求項３によれば、布団バサミを片手で把持アームを握り締めながら布団バサミを布団に狭着し、その布団バサミをそのまま押下することで、簡単な作業で布団を狭持することができ、さらには、把持アームを握り締めながら布団バサミを持ち、二つ折りにされた布団の一端を持ちながら先端をより下方にずらした上で、布団バサミにより布団を狭持できるので、より多くの表面積を天日干しすることが可能となる。また、取り外しについても、片手で把持アームを握り締めながら布団バサミを持ち上げればよい。
【図面の簡単な説明】
【００１３】
【図１】図１は、第一実施例の布団バサミに係る常態を示した一部分解斜視図である。
【図２】図２は、第一実施例の布団バサミに係るロール体の位置による作用の説明図で、(ａ)はロール体の常態、(ｂ)はロール体の初期状態、(c)はロール体による布団の狭持状態、の図である。
【図３】図３は、図２(ａ)のＸ―Ｘ断面図である。
【図４】図４は、第一実施例の布団バサミの常態に係る逆転阻止機構の部分横断面図である。
【図５】図５は、第二実施例の布団バサミに係る斜視図である。
【発明を実施するための形態】
【００１４】
以下、本発明の実施の形態について図面に基づいて説明する。
【００１５】
図１は本発明に係る布団バサミ１の実施形態の第一例を示すものであり、公知技術による左右一対のアーム２．２’の狭持力で強く布団を狭持する先端部分に、布団を狭持する回動可能なローラー体７を支承して、略上下に移動可能なローラー体７の停止位置を変化させることで、ローラー体７の逆転阻止及び阻止解除手段を備えた逆転阻止機構Ｓを備えた狭持部３．３’を配設して構成した布団バサミ１である。
【００１６】
基部４は、コイルバネ及びリベット等を内設して、左右一対のアーム２．２’を回動自在に連結して閉じる方向に付勢する周知の公知技術であるため、ここでの説明を省略する。
【００１７】
狭持部３．３’は、アーム２．２’の先端部より対向する他方の先端部に向かって、アーム２．２’の側部を膨出しながら平行に対向配置され『コ』の字型の一対の側壁による支持部２０が延設されている。また、側壁には略上下方向に延びる略『く』の字型で上部が開口するスライドスリット孔１１が穿設されており、ローラー体７はラチェットホイール１３を中央にして両側にローラー８を挟んで一体回転可能にローラー軸９が貫通し形成されており、そのローラー体７は側壁間を跨ぐローラー軸９の両端がスライドスリット孔１１を挿通して回動可能且つ、移動可能に支承されており、ローラー軸９の両端には側壁との間にローラーバネ１２が掛止されローラー体７を下方向に付勢している。『コ』の字型のカバー５は、開口する支持部２０の上面と一対の側壁の外側を蓋うと同時に、カバー５の裏面に突設された封孔片６が開口するスライドスリット孔１１の上部の直線部を塞いでいる。
【００１８】
図２〜図４において、ローラー体７の回動の逆転阻止及び阻止解除の切り替手段である逆転阻止機構Ｓは、回動するラチェットホイール１３のラチェット歯１８に弾性的に咬合させるラチェットバネ１５を備えたラチェット爪１４による逆転阻止機構Ｓを形成しており、移動するローラー体７の停止位置により切り替が可能になる。なお、ラチェット爪１４は、ラチェット支持片１６を貫通するラチェット軸１７により揺動自在に支持されると共に、ラチェットバネ１５でラチェット歯１８と咬合する方向に付勢されており、ラチェット歯１８からの咬合離脱時は、ラチェット支持片１６のストッパー１９に衝止する。
【００１９】
ここで、逆転阻止機構Ｓの動作について説明すると、図２（ａ）は布団バサミ１の常態であり、ローラーバネ１２に付勢されてローラー軸９はスライドスリット孔１１の最下部に位置している。図２（ｂ）は、布団バサミ１の布団の頂部近傍への挟み込みによりバネの付勢力に抗しながらＹ方向にローラー体７と一体回転するローラー軸９が移動してスライドスリット孔１１の中間に位置する初期状態である。この状態の布団バサミ１をさらに押下すると、ローラー体７はさらにＹ方向に移動してスライドスリット孔１１に沿ってラチェット爪１４とラチェット歯１８が弾性的に咬合しながら回転しスライドスリット孔１１の最上部図２（ｃ）に位置する。最後に、図２（ｃ）の状態で布団バサミ１の押下を停止した時点でローラー体７の回転が止まりラチェット歯１８とラチェット爪１４との咬合により、ラチェット爪１４の後端部における揺動規制による逆転阻止機構Ｓが機能してローラー体７が逆転阻止の状態で布団を狭持する。また、この状態で布団が風により捲れ上がる場合は、布団がＺ方向に引っ張られるが、逆転阻止が機能して布団バサミ１の移動が防止される。
【００２０】
布団バサミ１が取り外される時は、左右一対のアーム２．２’が拡開されることでスライドスリット孔１１の最上部に位置していたローラー軸９は、ローラーバネ１２の付勢力により瞬時にスライドスリット孔１１の最下部に移動すると同時に、ラチェット歯１８とラチェット爪１４との咬合が離脱し、ローラー体７の逆転が可能な状態である図２（ａ）になり、ローラー体７はローラーバネ１２に付勢力により常にスライドスリット孔１１の最下部に位置した状態で、基部４を握りながら引き上げることで、ローラー８が布団の表面を逆転しながら布団バサミ１を取り外すことが出来る。
【００２１】
ローラー８の外周面上には、滑り止め手段としての複数本の凸条１０がローラー軸９の方向に沿って配設されている。
【００２２】
使用方法について説明すると、両手でアーム２．２’を拡開しながら二つ折りの状態で手すりに掛けられた布団頂部近傍を軽くローラー８で挟み付けた後に、基部４の上部を押下すると、布団の表面をローラー８が転がりアーム２．２’が布団を狭持しながら連動してローラー８間の離間距離が拡縮し、基部４の内側と布団頂部が衝止した位置で押下を停止する。この時点で、ローラーが逆転阻止された状態で布団バサミ１が布団を強く狭持する。布団を取り込む時は、両手でアーム２．２’を持ちローラー８間を少し拡開するとローラー８の逆転阻止が解除された状態となり、片手で基部４を掴みローラー８を布団の表面を逆転させながら布団バサミ１を引き上げて、布団バサミ１を布団から取り除く。  
【００２３】
次に、図５は実施形態の第二例を示したものであり、前述の第一例にあるアーム２．２’の形状のみを変更した布団バサミ３０であり、変更部分のみの符号を変更して表示する。アーム３２．３２’は、アーム２．２’の基部側の端部より遠ざかる方向に延設された一対の把持アーム３１．３１’であり、断面視が『コ』の字型で開口が対向して把持アーム３１．３１が形成されており、把持アーム３１．３１が握り締められた時に、把持アーム３１．３１’の側壁の一部が重合して交差可能にしてアーム３２．３２’の拡開をより大きくしている。
【００２４】
使用方法について説明すると、布団バサミ３０を手すり等に挟んで事前に準備し、布団を手すりの側面に沿わせながら布団の先端位置を決めて、布団を手すりに掛けた後に片手で布団を手すりに押し付けながらもう一方の手で布団バサミ３０の把持アーム３１．３１’を掴み、掴んだ手でそのまま把持アーム３１．３１’を軽く握り締めて、布団の頂部近傍を軽くローラーで挟み付けながら布団バサミ３０を押下すると、布団の表面をローラー８が転がりアーム３２．３２’が布団を狭持しながら連動してローラー８間の離間距離が拡縮し、基部４の内側と布団頂部が衝止した位置で押下を停止すると、ローラー８が逆転阻止された状態で布団バサミ３０が挟み付けられ布団を強く狭持する。布団を取り込む時は、片手で布団を押さえ付けながら他方の手で把持アーム３１．３１’を握りしめた時点で、ローラー８間が少し拡開しローラー８の逆転阻止が解除された状態となり、ローラー８を布団の表面を逆転させながら布団バサミ３０を引き上げて布団バサミ３０を布団から取り除き、その布団バサミ３０を手すりに挟み付けた後に両手で布団を持ち運ぶ。
【００２５】
以上、本発明の好適な実施形態について説明しが、本発明は上記実施形態に限定されないことは言うまでもない。たとえば、ローラー８の滑り止め手段として、外周面上への凹凸の形成や外周面をゴムシート部材で覆う等（不図示）を適用することが出来る。また、アーム２．２’の先端部に一体に形成した狭持部３．３’を、別体にユニット化してアーム２．２’の先端部に嵌着しても良い。
【符号の説明】
【００２６】
１  布団バサミ
２．２’  アーム
３．３’  狭持部
４  基部
５  カバー
６  封孔片
７  ローラー体
８  ローラー
９  ローラー軸
１０  凸条
１１  スライドスリット孔
１２  ローラーバネ
１３  ラチェットホイール
１４  ラチェット爪
１５  ラチェットバネ
１６  ラチェット支持片
１７  ラチェット軸  
１８  ラチェット歯
１９  ストッパー
２０  支持部
３０  布団バサミ
３１．３１’  把持アーム
３２．３２’  アーム
Ｓ  逆転阻止機構
【図１】
2016202420.tif 000003
【図２】
2016202420.tif 000004
【図３】
2016202420.tif 000005
【図４】
2016202420.tif 000006
【図５】
2016202420.tif 000007